(57)【要約】  放送受信装置１０は、複数のチャンネルからの放送信号を受信する受信部１３と、記放送信号に対応する映像を表示する表示部２０と、ユーザからの手書きによる入力を受け付けるタッチパネル２３と、タッチパネル２３への手書きによる入力を文字または文字列として認識する文字認識部２４と、チャンネル毎に該チャンネルを特定する文字または文字列を記憶する記憶部２１と、受信部１３で受信した放送信号に対応する映像を表示部２０に表示中に、文字認識部２４により認識された文字または文字列が、記憶部２１に記憶された文字または文字列のいずれかと一致した場合に、その文字または文字列に対応するチャンネルに受信チャンネルを切り換える制御部１１と、を備えている。
2008084696.tif 000002
【特許請求の範囲】
【請求項１】
複数のチャンネルからの放送信号を受信する受信部と、
前記放送信号に対応する映像を表示する表示部と、
ユーザからの手書きによる入力を受け付けるタッチパネルと、
該タッチパネルへの手書きによる入力を文字または文字列として認識する文字認識部と、
チャンネル毎に該チャンネルを特定する文字または文字列を記憶する記憶部と、
前記受信部で受信した放送信号に対応する映像を前記表示部に表示中に、前記文字認識部により認識された文字または文字列が、前記記憶部に記憶された文字または文字列のいずれかと一致した場合に、該文字または文字列に対応するチャンネルに受信チャンネルを切り換える制御部と、
を備えることを特徴とする放送受信装置。
【請求項２】
複数のチャンネルからの放送信号を受信する受信部と、
前記放送信号に対応する映像を表示する表示部と、
ユーザからの手書きによる入力を受け付けるタッチパネルと、
該タッチパネルへの手書きによる入力を文字または文字列として認識する文字認識部と、
前記複数のチャンネルの各々について、当該チャンネルで放送される番組の番組時間、番組名、番組内容説明を含む番組関連情報を記憶する記憶部と、
前記受信部で受信した放送信号に対応する映像を前記表示部に表示中に、前記文字認識部により認識された文字または文字列と前記番組関連情報とのマッチングを行い、現在放送されている番組のうち、文字認識部により認識された文字または文字列を含む番組関連情報に対応する番組を検索する番組検索部と、
前記番組検索部により、前記文字認識部により認識された文字または文字列を含む番組関連情報に対応する番組が検索された場合に、該番組が放送されているチャンネルに受信チャンネルを切り換える制御部と、
を備えることを特徴とする放送受信装置。
【請求項３】
前記制御部は、前記番組検索部により、前記文字認識部により認識された文字または文字列を含む番組関連情報に対応する番組が複数検索された場合には、該検索された複数の番組の中からユーザに所望の番組を選択させる選択部を有することを特徴とする、請求項２に記載の放送受信装置。
【発明の詳細な説明】
【関連出願の相互参照】
【０００１】
本出願は、２００６年１２月２７日に出願された日本国特許出願２００６−３５２６９２号の優先権を主張するものであり、この先の出願の開示全体をここに参照のために取り込む。
【技術分野】
【０００２】
本発明は、放送受信装置に関するものであり、特に、簡単な操作で受信チャンネルを所望のチャンネルに迅速に切り換えることができる放送受信装置に関するものである。
【関連技術】
【０００３】
近年、ホームシアターシステムに用いられるような大画面のテレビ放送受信機が人気を博する一方で、液晶画面などを用いた比較的小型の個人向けテレビ放送受信機のニーズも高まっている。特に、最近は携帯端末にテレビ放送受信機の機能を内蔵したものも開発されており、地上デジタルテレビ放送の携帯電話・移動体端末向けの１セグメント部分受信サービス（ワンセグ）による放送の開始を受け、今後は携帯端末にテレビ放送受信機の機能を搭載したものが飛躍的に普及するものと予想される。
【０００４】
一方、従来の携帯端末として、例えば特開２００２−１７６４７７号公報には、表示部を外側にして折り畳むことができる携帯端末機器が開示されている。
【０００５】
ところで、特開２００２−１７６４７７号公報に開示されているような折り畳み構造を適用したテレビ放送受信機能付携帯端末としては、例えば図８に示すようなものが考えられる。この携帯端末１は、通常は図８（ａ）に示すように、表示部を内側にして折り畳まれるようになっている。この状態から電話機能を使用する際は、図８（ｂ）に示すように、表示部２が見えるように携帯端末１を開いた状態にして、操作キー部３によりキー操作を行って通話をすることができる。
【０００６】
また、テレビ放送を視聴する場合は、図８（ｂ）のように携帯端末１を開いた状態で、操作キー部３のキーを操作してチャンネル選択することができる。しかも、この携帯端末１は、表示部２を外側にして折り畳むことが可能であるため、図８（ｃ）に示すような視聴形態（以下、適宜「ビュースタイル」と称する）で視聴することもできる。この場合、操作キー部３のキーを操作してチャンネル切り換えを行うことはできないため、例えば図８（ｄ）のように、携帯端末１の側面に操作キー部３のキーとは別のサイドキー部４を設けて、これらのキーを用いてチャンネルをアップ／ダウンして選局することが考えられる。
【０００７】
この携帯端末１のように表示部２を回転させてビュースタイルにする携帯端末以外の、いわゆるスライド式あるいはリボルバー式の携帯端末の場合でも、一般に携帯端末でテレビ視聴する際には、端末をコンパクトな形状に変形させることができるよう工夫されているものが多い。このような携帯端末においても、コンパクトな形状でテレビ視聴している間にチャンネル切り換えを行う際には、ビュースタイルのままチャンネルの切り換えが行えるように、通常の通話などに使用するキーとは別のキーを本体外面に設けているものが多い。
【０００８】
しかしながら、このような携帯端末では、テレビ番組を視聴している際にチャンネルを切り換えたくなった場合、所望のチャンネルに即座に切り換えることができないという問題がある。例えば、図８（ｃ）に示すようなビュースタイルでテレビ番組を視聴している際にチャンネルを変更しようとする場合には、図８（ｄ）に示すように、本体側面にあるサイドキー部４のキーを押下してチャンネルを上下に変化させるのが普通である。しかし、この場合にはチャンネルを１つずつ上げるか下げるかの操作しかできないため、例えば視聴したいチャンネルが現在視聴しているチャンネルから幾つも離れている場合には、チャンネル変更の操作は煩わしいものとなる。特に、順次のチャンネル変更の制御に若干の時間がかかる携帯端末の場合には、非常に煩わしいものとなる。
【０００９】
さらに、本体側面のサイドキー部にはチャンネルアップ／ダウンキーの他に、音量調節キーなどが備わっている場合もあり、このような場合には、チャンネル変更操作をするためのキーと混同して操作してしまうことが懸念される。そのような煩わしさを回避するため、所望のチャンネルを選択するキーを直接押下するには、折り畳まれている端末本体を、図８（ｂ）に示すような形態に開いてから、操作キー部３を用いてキー操作を行わなくてはならない。つまり、それまで携帯端末本体はコンパクトなビュースタイルになっていたとしても、一旦大きな形態にしなくてはならない。いずれの場合にも、あるテレビ番組を視聴している形態からチャンネルを変更しようとすると、追加の手間や時間が必要となり、ユーザにストレスを感じさせる原因となる。
【００１０】
さらに、ユーザが視聴したい番組を検索したい場合、または視聴したい番組のジャンルから該当する番組を検索したい場合、従来の携帯端末では、テレビ番組視聴中にＥＰＧ（電子番組ガイド）などの情報に基づく番組表を表示部に重畳表示させてその中から所望の番組を選択するか、あるいは別途ブラウザを起動させて、そのブラウザに視聴したい番組のキーワードを入力して番組の検索を行ってから、その番組を放送しているチャンネルにユーザ自らがチャンネル変更の操作を行う、などの手順が考えられる。しかしながら、この場合にも、検索画面に遷移するのに時間がかかったり、実際に検索を行うまでの操作が面倒であったりして、ユーザが所望のチャンネルにチャンネル変更するには追加の手間や時間が必要となり、やはりユーザにストレスを感じさせる原因となる。
【発明の開示】
【００１１】
したがって、かかる事情に鑑みてなされた本発明の目的は、現在視聴中の番組を視聴しながら、簡単かつ迅速に所望のチャンネルに切り換えできる放送受信装置を提供することにある。
【００１２】
上記目的を達成する第１の観点に係る放送受信装置の発明は、
複数のチャンネルからの放送信号を受信する受信部と、
前記放送信号に対応する映像を表示する表示部と、
ユーザからの手書きによる入力を受け付けるタッチパネルと、
該タッチパネルへの手書きによる入力を文字または文字列として認識する文字認識部と、
チャンネル毎に該チャンネルを特定する文字または文字列を記憶する記憶部と、
前記受信部で受信した放送信号に対応する映像を前記表示部に表示中に、前記文字認識部により認識された文字または文字列が、前記記憶部に記憶された文字または文字列のいずれかと一致した場合に、該文字または文字列に対応するチャンネルに受信チャンネルを切り換える制御部と、
を備えることを特徴とするものである。
【００１３】
さらに、上記目的を達成する第２の観点に係る放送受信装置の発明は、
複数のチャンネルからの放送信号を受信する受信部と、
前記放送信号に対応する映像を表示する表示部と、
ユーザからの手書きによる入力を受け付けるタッチパネルと、
該タッチパネルへの手書きによる入力を文字または文字列として認識する文字認識部と、
前記複数のチャンネルの各々について、当該チャンネルで放送される番組の番組時間、番組名、番組内容説明を含む番組関連情報を記憶する記憶部と、
前記受信部で受信した放送信号に対応する映像を前記表示部に表示中に、前記文字認識部により認識された文字または文字列と前記番組関連情報とのマッチングを行い、現在放送されている番組のうち、文字認識部により認識された文字または文字列を含む番組関連情報に対応する番組を検索する番組検索部と、
前記番組検索部により、前記文字認識部により認識された文字または文字列を含む番組関連情報に対応する番組が検索された場合に、該番組が放送されているチャンネルに受信チャンネルを切り換える制御部と、
を備えることを特徴とするものである。
【００１４】
第３の観点に係る放送受信装置の発明は、第２の観点に係る放送受信装置において、
前記制御部は、前記番組検索部により、前記文字認識部により認識された文字または文字列を含む番組関連情報に対応する番組が複数検索された場合には、該検索された複数の番組の中からユーザに所望の番組を選択させる選択部を有することを特徴とするものである。
【図面の簡単な説明】
【００１５】
【図１】本発明の実施の形態に係る放送受信装置の要部の回路構成を示すブロック図である。
【図２】本実施の形態に係る放送受信装置の記憶部に記憶される情報の例を模式的に示す表である。
【図３】本実施の形態のチャンネル選択動作を説明するフローチャートである。
【図４】本実施の形態のチャンネル選択動作の操作および画面表示の例を示す概略模式図である。
【図５】本実施の形態のチャンネル選択動作の操作および画面表示の他の例を示す概略模式図である。
【図６】本実施の形態の番組検索処理を説明するフローチャートである。
【図７】本発明の変形例の入力フィールドのポップアップ表示を説明する図である。
【図８】従来の携帯端末の構造を説明する図である。
【発明を実施するための最良の形態】
【００１６】
以下、本発明の実施の形態について、図を参照して説明する。なお、以下の図面の記載において、同一または類似の部分には、同一または類似の符号を付している。【００１７】
図１は、本発明の一実施の形態に係る放送受信装置の要部の回路構成を示すブロック図である。【００１８】
この携帯端末１０は、例えばインターネットへのネットワーク通信が可能な携帯電話端末に、地上デジタルＴＶ放送である、いわゆるワンセグ放送を視聴するＴＶ受信機能を搭載した携帯通信端末で、全体を制御する制御部１１と、通信回線用のアンテナ部と共に通信部を構成する無線部１２と、放送受信用のアンテナ部を経て地上デジタル放送を受信する放送受信部を構成する受信部１３とを有している。【００１９】
無線部１２は、制御部１１で処理された音声情報、電子メール等を変調して送受信アンテナから図示しない基地局に無線で送信するとともに、基地局から無線により送信されて送受信アンテナで受信された電子メールや音声情報等の各種情報を復調して制御部１１に送出する。【００２０】
一方、アンテナ部を経て受信部１３で受信される放送受信信号は、制御部１１の制御により受信部１３で選局され、その選局された放送受信信号は、復調部１４でトランスポートストリーム（ＴＳ）パケットが取り出されて分岐部１５に供給され、ここでパケットＩＤに応じて音声処理部１６、映像処理部１７、データ処理部１８に振り分けられる。【００２１】
音声処理部１６で得られた音声情報はスピーカ１９から出力され、映像処理部１７およびデータ処理部１８でそれぞれ得られた映像情報およびデータ情報は、図示しない表示制御部を介して表示部２０に表示される。【００２２】
さらに、本実施の形態の携帯端末１０は、各種データを格納する記憶部２１、および携帯端末１０の操作を行う操作キー部２２も有している。【００２３】
本実施の形態では、地上デジタルＴＶ放送における電子番組ガイド（ＥＰＧ）を記憶部２１に更新しながら格納する。この電子番組ガイドは、放送受信部で受信される番組配列情報（ＳＩ）を記憶部２１に格納することで得るか、あるいは通信部によりインターネット上の所望の放送事業者サイトにアクセスして、記憶部２１にダウンロードするなどの方法がある。【００２４】
ここで、電子番組ガイドは、番組配列情報により作成されるもので、この電子配列情報には、放送事業者を識別するネットワークＩＤ（ＮＩＤ）、放送チャンネルを識別するトランスポートストリームＩＤ（ＴＩＤ）、放送チャンネルにおける放送番組の提供セグメントを識別するサービスＩＤ（ＳＩＤ）、放送番組を識別するイベントＩＤ（ＥＩＤ）が含まれている。【００２５】
さらに、本実施の形態に係る携帯端末１０は、表示部２０の前面に一体化されてユーザの手書き入力を受け付けるタッチパネル２３と、このタッチパネル２３に入力された文字を認識する文字認識部２４と、入力された文字のキーワードから対応する番組を検索する番組検索部２５とを有している。なお、制御部１１はさらに、図示しないが、番組検索部２５による検索結果が複数存在する場合に、何れか１つをユーザに選択させる選択部も備えている。【００２６】
携帯端末１０における携帯電話としての機能、およびテレビ視聴の機能については、それぞれ周知の携帯電話およびテレビ受信装置のものと特に変わりはないため、それらの機能の詳細については説明を省略する。【００２７】
図２は、記憶部２１に記憶される情報の一例を模式的に表にしたものである。【００２８】
図２（ａ）に一例を示すように、記憶部２１は、例えばＴＳパケットに含まれる地域情報、または基地局の情報、あるいはＧＰＳ情報などの地域情報から割り出した、チャンネル番号と放送局との対応付けを記憶する。図２（ａ）では、一例として東京地方の放送局とチャンネル番号の対応を示しているが、ユーザの現在地が変われば、放送局とチャンネル番号の対応付けは変わることがある。したがって、このような対応付けは、予め複数の地域情報をまとめて取り込んで各地域の放送局とチャンネル番号との対応付けを複数組記憶させておき、あとから現在地の放送局とチャンネル番号との対応付けのみを読み出すようにするのが好適である。さらに、このような対応付けは、携帯端末１０においてテレビ視聴アプリケーションを起動する際に行うようにすることもできるし、あるいは定期的にまたは所定の時刻に自動的に対応付けが更新されるような設定にすることもできる。【００２９】
さらに、図示しないが、記憶部２１は、予めＥＰＧなどの情報に基づいて、各放送局のそれぞれの放送番組についての番組時間、番組名、番組内容説明を含む番組関連情報を、それらのキーワードを含む形態で記憶する。【００３０】
図２（ｂ）に一例を示すように、記憶部２１はさらに、系列局の名称と各地域の放送局の名称およびその略称などとの対応付けも記憶する。この対応付けについても、予め複数の地域情報をまとめて取り込んで系列局の名称と各地域の放送局の名称およびその略称などとの対応付けを複数組記憶させておき、あとから現在地の放送局の名称およびその略称などと系列局との対応付けのみを読み出すようにするのが好適である。さらに、この対応付けも、携帯端末１０においてテレビ視聴アプリケーションを起動する際に行うようにすることもできるし、あるいは定期的にまたは所定の時刻に自動的に対応付けが更新されるような設定にすることもできる。【００３１】
次に、図３〜図６を参照して、本実施の形態に係る携帯端末１０のチャンネル選択について説明する。【００３２】
図３は、本実施の形態によるチャンネル選択動作を説明するフローチャートである。まず、携帯端末１０にてテレビ視聴アプリケーションを起動するところからスタートする。テレビ視聴アプリケーションをスタートしたら、制御部１１は、前回テレビ視聴アプリケーションを終了した際に視聴していたチャンネルを自動選択して放送信号の映像を表示部２０に表示する（ステップＳ１）。【００３３】
次に、制御部１１は、ユーザからタッチパネル２３に入力があるかどうかを判定する（ステップＳ２）。タッチパネル２３に対する入力は、図４（ａ）に示すように、ユーザがスタイラスペンのようなペン型入力デバイスを使用してもよいし、ユーザが指などを用いて直接タッチパネル２３に入力してもよい。この入力では、例えば、現在東京地方にいるユーザが「フジテレビ」で放送されている番組を視聴したい場合には、タッチパネル２３に対して、「８」の数字や、または「フジテレビ」、「フジ」、「ＣＸ」もしくは「ＦＮＮ」など、視聴したい番組を放送する放送局を特定する文字または文字列を手書きで入力する。また、特定のチャンネルまたは放送局を選定するのではなく、ユーザが例えばニュース番組が見たいと望んでいる場合には、図５（ａ）に示すように、キーワードである「ニュース」という文字列をタッチパネル２３に手書きで入力する。【００３４】
入力があった場合には、次に、ユーザが入力終了の動作を行ったか否かを判定する（ステップＳ３）。ここで言う入力終了の動作とは、ユーザの手書き入力が終了したことをユーザ自らが知らせる動作であり、いくつかの態様が考えられる。例えば、図４（ｂ）に示すように、手書き入力が終了した後に、もう一度タッチパネル２３の任意の箇所または所定の箇所にタッチすることによりそれを手書き入力終了の動作と判定しても良いし、図４（ｃ）に示すように、画面上の邪魔にならない位置に表示された「決定」キーにタッチすることによりそれを手書き入力終了の動作と判定しても良い。あるいは、ユーザの最後のタッチパネル２３に対する入力から所定時間経過すると、自動的に手書き入力が終了したと判定するようにしても良い。【００３５】
タッチパネル２３に手書き入力された文字は、図４（ａ）に示すように、ユーザが入力を視認し易いように表示部２０に軌跡を表示させるようにすることもでき、あるいはテレビ視聴の邪魔になるようであれば、表示部２０に軌跡を表示させないような設定にすることもできる。【００３６】
入力終了動作があった後は、文字認識部２４は、その入力された文字が数字のみかどうかを判定する（ステップＳ４）。入力された文字が数字のみである場合には、制御部１１はその数字をチャンネル番号と判断して、その数字が表すチャンネルに該当する現在地の放送局が記憶部２１に記憶されているか否かを判定する（ステップＳ５）。入力された数字に該当する現在地の放送局が記憶されている場合には、制御部１１は、図４（ｄ）に示すように、その放送局にチャンネルを変更して（ステップＳ６）、チャンネル変更の処理を終了しステップＳ２に戻る。なお、現在視聴中のチャンネルが入力された場合には、制御部１１はチャンネルの変更を行わずにステップＳ２に戻る。【００３７】
ユーザが入力した数字に対応する現在地の放送局が見つからない場合には、制御部１１は、「該当チャンネル無し」の旨、または「入力やり直し」を促す旨を表示部２０に表示させて、チャンネルを変更せずにステップＳ２に戻る。【００３８】
ステップＳ４にて、ユーザが入力した文字が数字のみではないと判定された場合、次に、文字認識部２４は、その入力文字が放送局の局名もしくは略称または系列名などであるか否かを判定する（ステップＳ８）。【００３９】
ユーザが入力した文字は放送局の局名もしくは略称または系列名などであると文字認識部２４が判断した場合には、制御部１１は、その放送局の局名もしくは略称またはその系列名などに対応する現在地の放送局を記憶部２１から読み出して、当該放送局にチャンネルを変更し（ステップＳ９）、チャンネル変更の処理を終了しステップＳ２に戻る。なお、現在視聴中の放送局の局名もしくは略称または系列名などが入力された場合には、チャンネルの変更は行わずにステップＳ２に戻る。【００４０】
ユーザが放送局の局名もしくは略称または系列名などを入力する場合にも、タッチパネル２３に入力された文字は、例えば図４（ｅ）に示すように、ユーザが入力を視認し易いように表示部２０に軌跡を表示させるようにすることもでき、あるいはテレビ視聴の邪魔になるようであれば、表示部２０に軌跡を表示させないような設定にすることもできる。【００４１】
一方、ステップＳ８において、ユーザが入力した文字は放送局の局名もしくは略称または系列名などでないと判定された場合、例えば図５（ａ）に示すように、「ニュース」と入力された場合には、ステップＳ１０の番組検索処理に移行する。【００４２】
番組検索処理では、図６のフローチャートに示すように、まず、番組検索部２５は、ＥＰＧ等の番組関連情報が記憶された記憶部２１内で、ユーザが入力した文字または文字列と一致するキーワードを検索する（ステップＳ１１）。【００４３】
次にステップＳ１２にて、番組検索部２５が、記憶部２１に記憶された情報を検索した結果、一致する情報を見つけられなかった場合、制御部１１は、現在時刻に現在地でユーザが希望する番組を放送している放送局はないと判断して、該当する番組はない旨の表示を表示部２０に表示するように制御する（ステップＳ１３）。この場合にはチャンネルの変更は行われない。【００４４】
番組検索部２５が、ユーザが入力した文字または文字列と一致する番組関連情報を検索した結果、記憶部２１内に一致する情報を見つけた場合には、制御部１１は、その検索結果が１つだけか、または複数かを判断する（ステップＳ１４）。検索結果が１つだけの場合、制御部１１は、図５（ｂ）に示すように、その番組関連情報に対応する番組を放送している放送局にチャンネルを変更する（ステップＳ１５）。この場合には、ニュース番組を放送している放送局が自動選択される。なお、現在視聴中の放送局が検索された場合には、チャンネルの変更は行わずにステップＳ２に戻る。【００４５】
番組検索部２５による検索結果が複数あった場合、すなわちユーザの入力した文字列のキーワードに関連する番組を放送している放送局が複数ある場合には、制御部１１は、その検索結果を表示部２０に表示して（ステップＳ１６）、複数の検索結果のうちの１つを選択するようユーザに促す（ステップＳ１７）。この場合には、例えば図５（ｃ）に示すように、ユーザの入力した文字列のキーワードに関連する番組の番組名およびチャンネル番号などを表示部２０に列挙して表示したり、あるいは例えば図５（ｄ）に示すように、ユーザの入力した文字列のキーワードに関連する番組の１コマをキャプチャした静止画などをサムネイル表示したりすることもできる。【００４６】
表示部２０に複数の番組を表示した場合には、制御部１１に内蔵されている選択部（図示せず）は、表示部２０に表示された番組名などの文字列またはサムネイルを、ユーザにタッチパネル２３をタッチさせることによって、１つの番組を選択させる。表示部２０に表示された複数の番組のうち１つの番組がユーザにより選択されたら、制御部１１は、その番組を放送している放送局にチャンネルを変更する。なお、この場合も、現在視聴中の放送局が選択された場合には、チャンネルの変更は行わずにステップＳ２に戻る。【００４７】
このようにすることで、携帯端末１０のユーザは、現在のチャンネルの番組を視聴したまま、タッチパネル２３に放送局のチャンネル番号を手書きで入力することにより、コンパクトなビュースタイルのまま簡単かつ直接的に所望のチャンネルにチャンネル変更することができる。また、例えば、「フジテレビ」、「ＮＨＫ」、「テレ東」または「ＪＮＮ」などの放送局の局名もしくは略称または系列名などを携帯端末１０に手書きで入力することによっても、それらの放送局またはその系列に対応する放送局に直接チャンネルを変更することができる。さらに、記憶部２１には複数の地域の放送局名が対応付けられているため、例えば大阪に出かけて携帯端末１０でテレビを視聴する際に、「ＴＢＳ」と入力すれば、同じＪＮＮ系列の地方局である「毎日放送」が自動的に選択される。同様に、直接「ＡＮＮ」と入力すれば、現在地が東京地方なら「テレビ朝日」に、現在地が大阪なら「朝日放送」に、現在地が北海道なら「北海道テレビ放送」に自動的にチャンネルが変更される。【００４８】
さらに、例えばユーザが視聴したい放送局が具体的に決まっていない場合であっても、視聴したい番組の番組名や、番組のジャンルやカテゴリなどのキーワードを入力することによって、それに該当する番組を現在放送している放送局があれば、その放送局にチャンネルが変更される。したがって、例えば、「８時のニュース」や、「歌番組」、「ドラマ」、「映画」など、その番組を放送している放送局を事前に知らない場合であっても、現在その放送が行われていれば、その番組を放送している放送局にチャンネルを変更することができる。【００４９】
このように、チャンネル番号もしくは局名、または番組キーワードなど、各放送局に特有の情報や、番組に特有のキーワードをタッチパネルに手書きすることで、所望のチャンネルを選局できるので、年配者や子供などでも操作を間違うことなく、しかも短時間にチャンネルの切り替えが可能になり、さらにはチャンネルのアップ／ダウン操作をするためのサイドキーなどは不要になる。【００５０】
なお、本発明は、上述した実施の形態のみに限定されるものではなく、幾多の変更または変形が可能である。例えば、上記実施の形態においては、チャンネル番号の手書き入力による放送局選択、放送局などの局名の手書き入力による放送局選択、番組キーワードの手書き入力による放送局選択、の３つ態様の放送局選択機能を携帯端末１０に実装したが、これらのうち任意の１つまたは２つの態様による放送局選択機能を携帯端末１０に実装させることも当然可能である。【００５１】
また、特に、放送局などの局名の手書き入力による放送局選択や、番組キーワードの手書き入力による放送局選択の場合には、ユーザが手入力した文字または文字列の認識結果を確認し易くするために、例えば図７に示すように、文字列の入力フィールドを表示部２０にポップアップ表示させて、ユーザがタッチパネル２３に入力した文字を文字認識部２４が認識した結果を、入力フィールドに表示させるように設定するのが望ましい。この場合には、図７（ａ）のように、ユーザがタッチパネル２３に全体として手書き入力した文字列を認識して表示させるようにすることもでき、図７（ｂ）のように、ユーザが手書き入力した文字を一文字ずつ認識して表示させるようにすることもできる。また、このように入力フィールドに入力を行った場合、この一連の手書き入力操作が終了したことを知らせる動作については、上記実施の形態と同様に、入力が終了した後もう一度タッチパネル２３の任意の箇所または所定の箇所にタッチしたり、ユーザの最後のタッチパネル２３に対する入力から所定時間経過すると自動的に入力が終了したと判定されるようにしたりするなどの他に、図７（ｃ）に示すような、「エンター（入力）」を表す矢印形のアイコンなどを所定の箇所に表示して、これに対するタッチ入力に基づいて、入力操作が終了したと判定しても良い。この場合も上述の実施の形態と同様に、ユーザが入力した文字または文字列の軌跡を表示部２０に表示させるようにすることも、あるいはテレビ視聴の邪魔になるようであれば、表示させないような設定にすることもできる。【００５２】
このような入力フィールドのポップアップ表示は、携帯端末１０における放送局選択の上述した各態様をそれぞれ別個に使用する場合に、予めポップアップ表示の出現の有無を設定しておくようにもできる。また、放送局選択の各態様のいくつかを組み合わせて使用する場合には、各態様に応じて選択的にポップアップ表示の出現の有無を設定するようにもできる。
【産業上の利用可能性】
【００５３】
本発明によれば、例えば切り換えたいチャンネルの番号もしくは局名など、または視聴したい番組のキーワードを、文字または文字列として、ユーザがタッチパネルに直接手書き入力することにより、そのチャンネルに直接切り換えることができるので、ユーザはストレスを感じることなく簡単な操作で迅速に所望のチャンネルに切り換えることが可能になる。
【図１】
2008084696.tif 000003
【図２】
2008084696.tif 000004
【図３】
2008084696.tif 000005
【図４】
2008084696.tif 000006
【図５】
2008084696.tif 000007
【図６】
2008084696.tif 000008
【図７】
2008084696.tif 000009
【図８】
2008084696.tif 000010
【国際調査報告】
2008084696.tif 000011
2008084696.tif 000012
2008084696.tif 000013
2008084696.tif 000014